(57)【要約】【課題】本発明の目的は、通信の発信者及び受信者に位置情報を通知するか選択させて、プライバシーを守ることができる通信システム及び通信機器を提供することである。【解決手段】自機の位置情報の第１の通知許可情報を発信する通信部１１を含む発信側携帯電話機５１５と、自機の位置情報の第２の通知許可情報を発信する通信部１１と、自機の位置にかかわる地図情報を表示可能な表示部１４と、を含む受信側携帯電話機５１７と、を有し、受信側携帯電話機５１７は、発信側携帯電話機５１５と受信側携帯電話機５１７の各々から前記第１の通知許可情報及び前記第２の通知許可情報の発信が確認された場合に、発信側携帯電話機５１５及び自機の位置に関する地図画面を表示部１４に表示する。【選択図】図７
2010154360.tif 000002
【特許請求の範囲】
【請求項１】
自機の位置情報の第１の通知許可情報を発信する通信部を含む第１の通信機器と、
自機の位置情報の第２の通知許可情報を発信する通信部と、自機の位置にかかわる地図情報を表示可能な表示部と、を含む第２の通信機器と、を有し、
前記第２の通信機器は、
前記第１の通信機器と前記第２の通信機器の各々から前記第１の通知許可情報及び前記第２の通知許可情報の発信が確認された場合に、前記第１の通信機器及び自機の位置に関する地図画面を前記表示部に表示する
通信システム。
【請求項２】
前記第１の通信機器と前記第２の通信機器の通信を伝達するネットワークを有し、
前記ネットワークは、
前記第１の通信機器からの前記第１の通知許可情報及び前記第２の通信機器からの第２の通知許可情報の発信を確認した場合に、前記第１の通信機器の位置情報と前記第２の通信機器の位置情報に関する前記地図図面を生成し、当該地図画面を前記第１の通信機器及び前記第２の通信機器のうち少なくとも前記第２の通信機器に送信する、位置情報管理装置を有する
請求項１に記載の通信システム。
【請求項３】
前記第２の通信機器は、
前記第１の通信機器からの前記第１の通知許可情報及び前記第２の通信機器からの前記第２の通知許可情報の発信を確認した場合に、前記第１の通信機器の位置情報と自機の位置情報に関する前記地図図面を生成する制御部を有する
請求項１に記載の通信システム。
【請求項４】
前記第１の通信機器は、自機の位置にかかわる地図情報を表示可能な表示部を有し、
前記第１の通信機器は、
前記第１の通信機器と前記第２の通信機器の各々から前記第１の通知許可情報及び第２の通知許可情報の発信が確認された場合に、自機及び前記第２の通信機器の位置に関する前記地図画面を前記表示部に表示する
請求項２又は請求項３に記載の通信システム。
【請求項５】
前記第１の通信機器及び前記第２の通信機器の少なくとも１つは、ＧＰＳによって位置を検出する位置測定部を有する
請求項２〜４いずれか１項に記載の通信システム。
【請求項６】
ネットワーク内端末の位置情報から地図画面を生成する、前記位置情報管理装置又は前記第２の通信機器の制御部を有する
請求項２〜４いずれか１項に記載の通信システム。
【請求項７】
自機の位置情報の通知許可情報を発信する通信部と、
自機の位置にかかわる地図情報を表示可能な表示部と、
通信相手の通信機器と自機の各々から通知許可情報及の発信が確認された場合に、通信相手の通信機器及び自機の位置に関する地図画面を前記表示部に表示する制御部と、を有する
通信機器。
【請求項８】
前記通信部は、通信相手の通信機器からの通知許可情報及び自機からの通知許可情報の発信を確認した場合に、通信相手の通信機器の位置情報と自機の位置情報に関する前記地図図面を生成及び当該地図画面を発信する位置情報管理装置が発信した当該地図図面を受信し、
前記表示部は、受信した当該地図図面を表示する
請求項７に記載の通信機器。
【請求項９】
通信相手の通信機器からの通知許可情報及び自機からの通知許可情報の発信を確認した場合に、通信相手の通信機器の位置情報と自機の位置情報に関する前記地図図面を生成する制御部を有する
請求項７に記載の通信機器。
【請求項１０】
ＧＰＳによって位置を検出する位置測定部を有する
請求項８又は９に記載の通信機器。
【請求項１１】
ネットワーク内端末の位置情報から前記地図画面を生成する制御部を有する
請求項９に記載の通信機器。
【請求項１２】
前記表示部が表示するのは、ネットワーク内端末の位置情報から前記位置情報管理装置が生成した前記地図画面である
請求項８に記載の通信機器。
【請求項１３】
自機の位置情報の第１の通知許可情報を発信する通信部を含む第１の通信機器と、
自機の位置情報の第２の通知許可情報を発信する通信部と、自機の位置にかかわる位置情報を音声によって出力可能な音声入出力部と、を含む第２の通信機器と、を有し、
前記第２の通信機器は、
前記第１の通信機器と前記第２の通信機器の各々から前記第１の通知許可情報及び前記第２の通知許可情報の発信が確認された場合に、少なくとも前記第１の通信機器の位置に関する位置情報を音声入出力部が音声によって出力する
通信システム。
【請求項１４】
自機の位置情報の通知許可情報を発信する通信部と、
自機の位置にかかわる地図情報を音声によって出力可能な音声入出力部と、を有し、
通信相手の通信機器と自機の各々から通知許可情報及の発信が確認された場合に、通信相手の通信機器及び自機の位置に関する位置情報を音声入出力部が音声によって出力する
通信機器。
【請求項１５】
第１の通信機器が第２の通信機器へ発信した際に、第２の通信機器が通知許可情報を第１の通信機器へ返信しなかった場合、第１の通信機器と第２の通信機器は、第２の通信機器の位置に関する地図画面を表示することなく通信及び通話が可能な通信システム。
【請求項１６】
通信を受信又は発信した際に、通信相手の通信機器から通知許可情報及の発信が確認されなかった場合、通信相手の位置に関する地図画面を表示することなく通信及び通話が可能な通信機器。
【発明の詳細な説明】
【技術分野】
【０００１】
本発明は携帯電話機、パーソナルコンピュータ（以下、「パソコン」という）、有線電話機等の通信用の通信機器を用いた通信システム及びその通信に用いる通信機器に関する。
【背景技術】
【０００２】
特許文献１には、通話中になる前の呼出中の状態で発信側と着信側の双方で互いの位置情報をリアルタイムに認識できる位置情報通知システムが開示されている。
【特許文献１】特開２００５―２０４１１８号公報
【発明の開示】
【発明が解決しようとする課題】
【０００３】
しかし、この方法では双方にリアルタイムでその位置情報を通知することになるので、自身の位置を知られたくない発信者及び着信者のプライバシーを侵害してしまうという不利益がある。
【０００４】
本発明の目的は、通信の発信者及び受信者に位置情報を通知するか選択させて、プライバシーを守ることができる通信システム及び通信機器を提供することである。
【課題を解決するための手段】
【０００５】
本発明の第１の観点の通信システムは、自機の位置情報の第１の通知許可情報を発信する通信部を含む第１の通信機器と、自機の位置情報の第２の通知許可情報を発信する通信部と、自機の位置にかかわる地図情報を表示可能な表示部と、を含む第２の通信機器と、を有し、前記第２の通信機器は、前記第１の通信機器と前記第２の通信機器の各々から前記第１の通知許可情報及び前記第２の通知許可情報の発信が確認された場合に、前記第１の通信機器及び自機の位置に関する地図画面を前記表示部に表示する。
【０００６】
好適には、本発明の通信システムは、前記第１の通信機器と前記第２の通信機器の通信を伝達するネットワークを有し、前記ネットワークは、前記第１の通信機器からの前記第１の通知許可情報及び前記第２の通信機器からの第２の通知許可情報の発信を確認した場合に、前記第１の通信機器の位置情報と前記第２の通信機器の位置情報に関する前記地図図面を生成し、当該地図画面を前記第１の通信機器及び前記第２の通信機器のうち少なくとも前記第２の通信機器に送信する、位置情報管理装置を有する。
【０００７】
好適には、前記第２の通信機器は、前記第１の通信機器からの前記第１の通知許可情報及び前記第２の通信機器からの前記第２の通知許可情報の発信を確認した場合に、前記第１の通信機器の位置情報と自機の位置情報に関する前記地図図面を生成する制御部を有する。
【０００８】
好適には、前記第１の通信機器は、自機の位置にかかわる地図情報を表示可能な表示部を有し、前記第１の通信機器は、前記第１の通信機器と前記第２の通信機器の各々から前記第１の通知許可情報及び第２の通知許可情報の発信が確認された場合に、自機及び前記第２の通信機器の位置に関する前記地図画面を前記表示部に表示する。
【０００９】
好適には、前記第１の通信機器及び前記第２の通信機器の少なくとも１つは、ＧＰＳによって位置を検出する位置測定部を有する。
【００１０】
好適には、本発明の通信機器は、ネットワーク内端末の位置情報から地図画面を生成する、前記位置情報管理装置又は前記第２の通信機器の制御部を有する。
【００１１】
本発明の第１の観点の通信機器は、自機の位置情報の通知許可情報を発信する通信部と、
自機の位置にかかわる地図情報を表示可能な表示部と、通信相手の通信機器と自機の各々から通知許可情報及の発信が確認された場合に、通信相手の通信機器及び自機の位置に関する地図画面を前記表示部に表示する制御部と、を有する。
【００１２】
好適には、前記通信部は、通信相手の通信機器からの通知許可情報及び自機からの通知許可情報の発信を確認した場合に、通信相手の通信機器の位置情報と自機の位置情報に関する前記地図図面を生成及び当該地図画面を発信する位置情報管理装置が発信した当該地図図面を受信し、前記表示部は、受信した当該地図図面を表示する。
【００１３】
好適には、本発明の通信機器は、通信相手の通信機器からの通知許可情報及び自機からの通知許可情報の発信を確認した場合に、通信相手の通信機器の位置情報と自機の位置情報に関する前記地図図面を生成する制御部を有する。
【００１４】
好適には、本発明の通信機器は、ＧＰＳによって位置を検出する位置測定部を有する。
【００１５】
好適には、本発明の通信機器は、ネットワーク内端末の位置情報から前記地図画面を生成する制御部を有する。
【００１６】
好適には、前記表示部が表示するのは、ネットワーク内端末の位置情報から前記位置情報管理装置が生成した前記地図画面である。
【００１７】
本発明の第２の観点の通信システムは、自機の位置情報の第１の通知許可情報を発信する通信部を含む第１の通信機器と、自機の位置情報の第２の通知許可情報を発信する通信部と、自機の位置にかかわる位置情報を音声によって出力可能な音声入出力部と、を含む第２の通信機器と、を有し、前記第２の通信機器は、前記第１の通信機器と前記第２の通信機器の各々から前記第１の通知許可情報及び前記第２の通知許可情報の発信が確認された場合に、少なくとも前記第１の通信機器の位置に関する位置情報を音声入出力部が音声によって出力する。
【００１８】
本発明の第２の観点の通信機器は、自機の位置情報の通知許可情報を発信する通信部と、
自機の位置にかかわる地図情報を音声によって出力可能な音声入出力部と、を有し、通信相手の通信機器と自機の各々から通知許可情報及の発信が確認された場合に、通信相手の通信機器及び自機の位置に関する位置情報を音声入出力部が音声によって出力する。
【００１９】
本発明の第３の観点の通信システムは、第１の通信機器が第２の通信機器へ発信した際に、第２の通信機器が通知許可情報を第１の通信機器へ返信しなかった場合、第１の通信機器と第２の通信機器は、第２の通信機器の位置に関する地図画面を表示することなく通信及び通話が可能である。
【００２０】
本発明の第３の観点の通信機器は、通信を受信又は発信した際に、通信相手の通信機器から通知許可情報及の発信が確認されなかった場合、通信相手の位置に関する地図画面を表示することなく通信及び通話が可能である。
【発明の効果】
【００２１】
本発明によれば、通信の発信者及び受信者に位置情報を通知するか選択させて、プライバシーを守ることができる通信システム及び通信機器を提供することができる。
【発明を実施するための最良の形態】
【００２２】
図１は、通信を伝達するネットワーク１を説明する説明図である。
従来通信は、有線電話通信網７を使用したものが主流であったが、現在では携帯電話通信網５やインターネット通信網３による通信も有線電話通信網７と同様に使用されている。
インターネット通信網３はルータ３１を有する。ここで、ルータ３１とは通信の末端に該当する図示しないユーザのパソコン３１１と直接通信を行っているもののみを特にいうこととし、インターネット通信網３内で単に通信を媒介するものは除外するものとする。
携帯電話通信網５は基地局５１を有する。ここで、基地局５１とは通信の末端に該当する図示しないユーザの携帯電話機５１１と直接通信を行っているもののみを特にいうこととする。
有線電話通信網７は交換機７１を有する。ここで、交換機７１とは通信の末端に該当する図示しないユーザの有線電話機７１１と直接通信を行っているもののみを特にいうこととし、有線電話通信網７内で単に通信を媒介するものは除外するものとする。
【００２３】
インターネット通信網３と携帯電話通信網５とは本来別々のシステムであるが、ゲートウエイ９を介して接続され互いに通信が可能である。インターネット通信網３と携帯電話通信網５との間、及び、携帯電話通信網５と有線電話通信網７との間、であっても同様である。
【００２４】
図２は、インターネット通信網３を説明する説明図である。
インターネット通信網３とルータ３１までがネットワーク１に含まれる。また、インターネット通信網３内にはインターネット通信網内サーバ３３が存在し通信の媒介等を行っている。
ルータ３１にはユーザが使用しているパソコン３１１が複数、接続されている。
【００２５】
図３は、有線電話通信網７を説明する説明図である。
有線電話通信網７と交換機７１までがネットワーク１に含まれる。
交換機７１にはユーザが使用している有線電話機７１１が複数、接続されている。
【００２６】
図４は携帯電話通信網５を説明する説明図である。
携帯電話通信網５と基地局５１までがネットワーク１に含まれる。また、携帯電話通信網５内には携帯電話通信網内サーバ５３が存在し通信の媒介等を行っている。
基地局５１にはユーザが使用している携帯電話機５１１が複数、無線通信によって接続されている。
【００２７】
以上のようなネットワーク１の構成内において、携帯電話間で電話通信があった時について以下記載する。
【００２８】
図５は、携帯電話機５１１間で通信の発信と受信があった時の説明図である。
発信側の携帯電話機５１１を受信側の携帯電話機５１１と区別するために、発信側携帯電話機５１５と特にいうこととする。同様に受信側の携帯電話機５１１を受信側携帯電話機５１７と特にいうこととする。
また、発信側携帯電話機５１５側のネットワーク１内の端末に該当する基地局５１を特に発信側基地局５５といい、受信側携帯電話機５１７側のネットワーク１内の端末に該当する基地局５１を特に受信側基地局５７という。
【００２９】
発信側携帯電話機５１５から発信された、通信はネットワーク１を介して受信側携帯電話機５１７に伝達される。その際、ネットワーク１内の発信側基地局５５がまずは発信側携帯電話機５１５の通信を受信し、他のネットワーク１内の機器を介して、ネットワーク１内の受信側基地局５７に伝達している。
ネットワーク１内での処理はネットワーク１内に存在する携帯電話通信網内サーバ５３によってなされる。具体的には、発信側携帯電話機５１５が通信開始信号に付加して発信した受信側携帯電話機５１７の電話番号情報から携帯電話通信網内サーバ５３が、その電話番号情報に該当する受信側携帯電話機５１７が通信可能な受信側基地局５７を検索する。そして、発信側基地局５５から送られてくる通信を受信側基地局５７に伝達する。
【００３０】
なお、発信側基地局５５は発信側ネットワーク内端末の一例であり、受信側基地局５７は受信側ネットワーク内端末の一例であり、発信側携帯電話機５１５は発信側通信機器の一例であり、受信側携帯電話機５１７は受信側通信機器の一例である。
【００３１】
図６（ａ）は携帯電話機５１１が開かれた状態（開状態）を示した外観図であり、図６（ｂ）は携帯電話機５１１の折り畳まれた状態（閉状態）を示した外観図である。
図６（ａ）に示されるように、第１筐体５０１には、図６（ｂ）に示す携帯電話機５１１の閉状態においては外部に露出しない一面に表示部１４が配置されている。
また、図６（ａ）に示されるように、第２筐体５０２には、図６（ｂ）に示す携帯電話機５１１の閉状態において外部には露出しない一面に操作部１２が配置されている。
【００３２】
ヒンジ部５０３は、第１筐体５０１と第２筐体５０２とを開閉し、図６（ａ）に示す携帯電話機５１１開状態と図６（ｂ）に示す閉状態とを遷移可能とする回転軸を有するヒンジ機構である。なお、携帯電話機５１１の開状態／閉状態は、後述する制御部１７により監視されており、制御部１７は携帯電話機５１１の開閉状態を検出することが可能である。
具体的には、携帯電話機５１１は例えば第１筐体５０１に配置した図示しない突起部により、第２筐体５０２の図示しない検出スイッチが押されているか否かを制御部１７が監視することにより開閉状態を検出している。すなわち、携帯電話機５１１は検出スイッチが押下されていれば閉状態、そうでなければ開状態と判定する。なお、開閉検出は、スイッチに限らず、各種センサであってもよい。
【００３３】
図７は図６の携帯電話機５１１の信号処理系を示すブロック図である。
【００３４】
図７に示されるように、携帯電話機５１１は、制御・処理の中枢である制御部１７を有する。そして、この制御部１７と位置測定部１０、通信部１１、操作部１２、音声入出力部１３、表示部１４及び記憶部１６のそれぞれが、アドレス、データ、コントロールのためのラインが複数本からなるシステムバス１８によって接続される。
【００３５】
位置測定部１０は、携帯電話機５１１の位置を測定する部分である。具体的には、ＧＰＳ（グローバル・ポジショニング・システム ）によってその位置を検出する方法があり得る。もっとも、ＧＰＳによる方法は位置を測定するための方法の一例にすぎず、たとえば複数の基地局５１からの電波状況からその位置を推定する方法もあり得るし、その他の方法であってもよい。
【００３６】
通信部１１は、無線通信システムを捕捉し、通信ネットワークに接続される基地局５１との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
後述するが、本発明では、通信部１１はこれらに加えて地図画面又は通信相手方の位置情報の通信も行う。
【００３７】
操作部１２は、例えば、電源キー、通話キー、数字キー、文字キー、方向キー、決定キー、発信キー、ファンクションキーなど、各種の機能が割り当てられたキーを有しており、これらのキーがユーザによって操作された場合に、その操作内容に対応する信号を発生し、これをユーザの指示として制御部１７に出力する。
後述するが、本発明では、操作部１２は、これらに加えて地図画面等を相手に通知するか否かの決定を操作部１２の操作によって行う。
【００３８】
音声入出力部１３は、スピーカから出力される音声信号やマイクロフォンにおいて入力される音声信号の入出力処理を行う。
すなわち、音声入出力部１３は、マイクロフォンから入力された音声を増幅し、アナログ／デジタル変換を行い、更に符号化等の信号処理を施し、デジタルの音声データに変換して制御部１７に出力する。
また、音声入出力部１３は、制御部１７から供給される音声データに復号化、デジタル／アナログ変換、増幅等の信号処理を施し、アナログの音声信号に変換してスピーカに出力する。
後述するが、本発明の変形例その７では、音声入出力部１３は、これらに加えて発信者の位置情報を音声信号に変換してスピーカに出力する機能をも有する。
【００３９】
表示部１４は、例えばＬＣＤやＯＬＥＤ（Organic light-emitting diode（有機ＥＬ））を用いて構成されており、制御部１７から供給される映像信号に応じた画像を表示する。
表示部１４は、通常、通信部１１による無線発信時における発信先の電話番号、着信時における発信元の電話番号、受信メールや発信メールの内容、日付、時刻、電池残量、発信成否、待ち受け画面等を表示する。
後述するが、本発明では、表示部１４は、これらに加えて発信者の位置情報と受信者の位置情報の両方が記載された地図画面を表示する機能をも有する。
【００４０】
記憶部１６では、携帯電話機５１１の各種処理に利用される各種データを記憶する。記憶部１６は、例えば制御部１７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
後述するが、本発明の変形例では、記憶部１６は、地図画面を生成するための地図のデータベースをも有している。
【００４１】
なお、記憶部１６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００４２】
制御部１７は、携帯電話機５１１の全体的な動作を統括的に制御する。
すなわち、制御部１７は、携帯電話機５１１の各種処理（回線交換網を介して行われる音声通話、電子メールの作成と送受信、インターネットのＷｅｂ上のサイトの閲覧など）が操作部１２の操作に応じて適切な手順で実行されるように、上述した各ブロックの動作（通信部１１における信号の送受信、表示部１４における画像の表示、図示していない撮像部おける撮像処理等）を制御する。
さらに、制御部１７は、記憶部１６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１７は、記憶部１６に格納されるオペレーティングシステムやアプリケーションプログラム等のプログラムから命令コードを順次受け取って処理を実行する。
後述するが、本発明では、制御部１７はネットワーク１内のサーバが生成した地図画面を表示部１４に表示させる処理を行う。また、本発明の変形例では、制御部１７が地図画面を生成する。
【００４３】
以上の構成を有する携帯電話機５１１において、通信を発信する場合について以下記載する。（適宜、図５も参照のこと）
図８は、発信側携帯電話機５１５がネットワーク１を介して受信側携帯電話機５１７に通信を発信した場合の処理を説明する説明図である。
なお、ステップ５＊＊との記載は発信側での処理を表し、ステップ１＊＊との記載はネットワーク１内での処理を表し、ステップ７＊＊との記載は受信側での処理を表している。
【００４４】
＜ステップ５０１の処理＞
ステップ５０１において、発信側携帯電話機５１５の操作部１２を発信者が操作することによって受信側携帯電話機５１７へ通信を発信する旨の操作がなされる。
【００４５】
＜ステップ５０２の処理＞
次に、ステップ５０２において、発信者は操作部１２を操作して位置情報を付加して通信を発信するか選択する。
なぜなら、プライバシーの問題等から必ずしも発信者が自らの位置を受信者に通知したいとは限らず、その選択をさせる必要があるからである。
もっとも、必ずしも通信毎に選択させる必要はなく、たとえば、受信者ごとに設定してこれを発信側携帯電話機５１５の記憶部１６に記憶させておくことによることもできる。
また、位置情報を通知するのを標準状態としておき、特別な操作がないときには位置情報を通知することとしてもよいし、逆に、位置情報を通知しないことを標準状態としておき、特別な操作がないときには位置情報を通知しないこととしてもよい。
さらにまた、位置を通知するにしても、その程度を例えば地域（市、町、村、最寄りの駅）程度にする等の選択を可能としてもよい。
【００４６】
＜ステップ５０３の処理＞
ステップ５０３において、位置情報を付加して通信を発信する旨の操作を発信者が行った時には、発信側携帯電話機５１５はその位置情報を取得する。
具体的には、制御部１７は位置測定部１０を制御して、ＧＰＳによって発信側携帯電話機５１５の位置を取得する。なお、位置測定方法の、一例としてＧＰＳを用いて位置を測定しているが必ずしもこれに限定する必要はない。
【００４７】
＜ステップ５０４の処理＞
ステップ５０４において、制御部１７は通信部１１を制御して通信開始要求信号を発信側基地局５５に通知する。さらに、これに加えてステップ５０３において取得した発信側携帯電話機５１５の位置情報も発信する。
【００４８】
＜ステップ１０１の処理＞
ステップ５５において、前述の通信開始要求信号及び位置情報を発信側基地局５５が受信する。以後、この発信側基地局５５が発信側携帯電話機５１５との通信を仲介することになる。もっとも、発信側携帯電話機５１５が移動した場合には、適宜発信側基地局５５は変更されていく。
【００４９】
＜ステップ１０２ａの処理＞
ステップ１０２ａにおいて、携帯電話通信網内サーバ５３が発信側携帯電話機５１５の位置情報から、発信側携帯電話機５１５のいる位置の地図画面を生成する。なお、ここでは、受信者側の位置情報は分からないので、受信者側の位置はこの地図画面には記載されていない。
【００５０】
＜ステップ１０３ａの処理＞
ステップ１０３ａにおいて、携帯電話通信網内サーバ５３はそのネットワーク１内の基地局５１と通信して、受信側携帯電話機５１７が通信可能な受信側基地局５７を検索し、特定する。
【００５１】
＜ステップ１０４ａの処理＞
ステップ１０４ａにおいて、ステップ１０３ａによって特定された受信側基地局５７が受信側携帯電話機５１７に通信開始要求信号以外に位置情報要求信号をも発信する。さらに、位置情報要求信号に加えてステップ１０２ａにおいて生成された地図画面をも付加して発信する。
【００５２】
＜ステップ７０１の処理＞
ステップ７０１において、受信側携帯電話機５１７は位置情報要求信号に加えて地図画面を受信する。
【００５３】
＜ステップ７０２ａの処理＞
ステップ７０２ａにおいて、受信側携帯電話機５１７は表示部１４に発信側携帯電話機５１５の地図画面を表示する。
【００５４】
＜ステップ７０３ａの処理＞
ステップ７０３ａにおいて、受信側携帯電話機５１７のユーザである受信者は受信側携帯電話機５１７の位置、つまり、受信者の位置も発信者に通知するかを選択する。
なぜなら、プライバシーの問題等から必ずしも発信者が自らの位置を受信者に通知したいとは限らず、その選択をさせる必要があるからである。
もっとも、必ずしも通信毎に選択させる必要はなく、たとえば、受信者ごとに設定してこれを発信側携帯電話機５１５の記憶部１６に記憶させておき、その記憶内容に応じて自動的に選択することもできる。
【００５５】
また、位置情報を通知するのを標準状態としておき、特別な操作がないときには位置情報を通知することとしてもよいし、逆に、位置情報を通知しないことを標準状態としておき、特別な操作がないときには位置情報を通知しないこととしてもよい。
もっとも、必ずしも通信毎に選択させる必要はなく、たとえば、受信者ごとに設定してこれを発信側携帯電話機５１５の記憶部１６に記憶させておくことによることもできる。
さらにまた、位置を通知するにしても、その程度を例えば地域（市、町、村、最寄りの駅）程度にする等の選択を可能としてもよい。
【００５６】
他にも、発信側携帯電話機５１５がその位置情報を通知してきた時のみ、受信側携帯電話機５１７も位置情報を発信することとしてもよい。
さらに、記憶部１６に記憶されている電話帳情報を参照して、相手方の位置情報があらかじめ登録されている場合だけ、自動的に位置情報を通知することとしてもよい。
以上のように、自動的に位置情報を許可することとしていた時には、自動的に許可した旨の通知をし、また、自動通知できないような通信があった時には、その旨の警告を表示部１４または音声によって通知してユーザの判断を受けるようにする。
【００５７】
＜ステップ７０４の処理＞
ステップ７０４において、位置情報を付加して通信を発信する旨の操作を発信者が行った時には、受信側携帯電話機５１７はその位置情報を取得する。
具体的には、制御部１７は位置測定部１０を制御して、ＧＰＳによって受信側携帯電話機５１７の位置を取得する。なお、ここでは一例としてＧＰＳを用いて位置を測定しているが必ずしもこれに限定する必要はない。
【００５８】
＜ステップ７０５ａの処理＞
ステップ７０５ａにおいて、ステップ７０４において取得した受信側携帯電話機５１７の位置情報を、受信側基地局５７に発信する。なお、この受信側携帯電話機５１７の位置情報は受信側の位置情報通知許可情報の働きも有している。もっとも、位置情報に加えて位置情報通知許可情報を別に通知するものとしてもよい。
【００５９】
＜ステップ１０５ａの処理＞
ステップ１０５ａにおいて、受信側基地局５７はステップ７０５ａにおいて受信側携帯電話機５１７から発信された、受信側携帯電話機５１７の位置情報を受信する。そして、その位置情報は前述したステップ１０２ａで発信側携帯電話機５１５の地図画面を生成した携帯電話通信網内サーバ５３に伝達される。
【００６０】
＜ステップ１０６ａの処理＞
ステップ１０６ａにおいて、携帯電話通信網内サーバ５３は、既に得ていた発信側携帯電話機５１５の位置情報と、ステップ１０５ａによって得られた受信側携帯電話機５１７の位置情報の両者から、発信側携帯電話機５１５の位置と受信側携帯電話機５１７の両者が入った地図画面を生成する。
この地図画面の生成方法の詳細については後述するが、携帯電話機５１１の表示部１４の画面範囲全体を使って表示するように生成する。
【００６１】
＜ステップ１０７ａの処理＞
ステップ１０７ａにおいて、発信側基地局５５及び受信側基地局５７が、ステップ１０６ａにおいて生成された地図画面をそれぞれ、発信側携帯電話機５１５及び受信側携帯電話機５１７に発信する。
【００６２】
＜ステップ５０５の処理＞
ステップ５０５において、発信側携帯電話機５１５は発信側基地局５５から発信された地図図形を受信し、これを表示部１４に表示する。
【００６３】
＜ステップ７０５の処理＞
ステップ７０５において、受信側携帯電話機５１７は受信側基地局５７から発信された地図図形を受信し、これを表示部１４に表示する。
【００６４】
［実施形態の変形例その１］
以上の実施形態においては、発信側携帯電話機５１５と受信側携帯電話機５１７は、ＧＰＳ機能付きの携帯電話機５１１であったが、携帯電話機５１１によっては必ずしもＧＰＳ機能を有していない場合もある。
また、ＧＰＳ機能が付いていたとしても、ＧＰＳで測定できるような精密な位置までの通知を必要としない場合、又は、精密な位置までの通知を欲しない場合、もある。これらの場合にはＧＰＳによる位置測定までは不要であるので、それらの場合には発信側基地局５５の位置を発信者の位置とし、受信側基地局５７の位置を受信者の位置とする。
【００６５】
基地局５１には、すべて識別する番号が与えられており、携帯電話機５１１からの通信を送受信する時には自動的にその識別番号が通信に付与される。
そして、その識別番号に対応する位置情報を携帯電話通信網内サーバ５３が蓄えていれば、容易に発信側基地局５５と受信側基地局５７との両者が記載されている地図画面を生成することができる。
【００６６】
図９は、この実施形態の変形例を説明する説明図である。具体的には、発信側基地局５５の位置を発信者の位置とし、受信側基地局５７の位置を受信者の位置とする変形例である。
【００６７】
＜ステップ５０１〜ステップ１０１の処理＞
ステップ５０１〜ステップ１０１までの処理は前述の実施形態と同じなので省略する。なお、この変形例では位置情報の取得のためにＧＰＳを用いていないので、ステップ５０３は行われない。
【００６８】
＜ステップ１０２ｂの処理＞
ステップ１０２ｂにおいて、携帯電話通信網内サーバ５３は発信側基地局５５の識別情報から発信側基地局５５の位置を発信者の位置として、発信者の地図情報のみが記載された地図画面を生成する。なお、ここでは、受信者側の位置情報は分からないので、受信者側の位置はこの地図画面には記載されていない。
【００６９】
＜ステップ１０３ａ〜ステップ７０２ａの処理＞
ステップ１０３〜７０２ａまでの処理は前述の実施形態と同じなので省略する。
【００７０】
＜ステップ７０３ｂの処理＞
ステップ７０３ｂにおいて、受信側携帯電話機５１７のユーザである受信者は受信側携帯電話機５１７の受信側基地局５７の位置を発信者に通知するかを選択する。
また、位置情報を通知するのを標準状態としておき、特別な操作がないときには位置情報を通知することとしてもよいし、逆に、位置情報を通知しないことを標準状態としておき、特別な操作がないときには位置情報を通知しないこととしてもよい。
なお、この変形例では位置情報の取得のためにＧＰＳを用いていないので、ステップ７０４は行われない。
【００７１】
＜ステップ７０５ｂの処理＞
ステップ７０５ｂにおいて、受信側携帯電話機５１７は、受信側携帯電話機５１７の位置情報として受信側基地局５７の位置を使用して通知することを許可する通知許可情報を、受信側基地局５７に発信する。
【００７２】
＜ステップ１０５ｂの処理＞
ステップ１０５ｂにおいて、受信側基地局５７はステップ７０５ｂにおいて受信側携帯電話機５１７により発信された、通知許可情報を受信する。そして、その通知許可情報は前述したステップ１０２ｂの携帯電話通信網内サーバ５３に伝達される。
【００７３】
＜ステップ１０６ｂの処理＞
ステップ１０６ａにおいて、携帯電話通信網内サーバ５３は、既に得ていた発信側携帯電話機５１５の発信側基地局５５の識別情報と、受信側携帯電話機５１７の受信側基地局５７の識別情報から、それぞれの位置を検索し、発信側基地局５５の位置と受信側基地局５７の位置との両者が入った地図画面を生成する。
この地図図形の生成方法については、詳細については後述するが、携帯電話機５１１の表示部１４の画面範囲全体を使って表示するように生成する。
【００７４】
＜ステップ１０７ａ、５０５及び７０６の処理＞
ステップ１０７ａ、５０５及び７０６の処理は前述の実施形態と同じなので省略する。
【００７５】
［実施形態の変形例その２］
前述の実施形態およびその変形例その１では、発信側携帯電話機５１５と受信側携帯電話機５１７の位置情報は前者であればＧＰＳ、後者であれば基地局５１の識別情報といように、同一の方法によって特定していた。
しかし、必ずしも同じ方法によって位置を特定する必要はない。例えば、発信側携帯電話機５１５にはＧＰＳ機能が付いていたが、受信側携帯電話機５１７にはＧＰＳ機能がない場合もありうる。さらに、発信側携帯電話機５１５及び受信側携帯電話機５１７の両方にＧＰＳがあっても、受信側携帯電話機５１７の受信者がＧＰＳで特定されるような精密な位置情報の通知を望まない場合もあり得る。
そこで、変形例その２では、発信側携帯電話機５１５はＧＰＳによる発信がなされたが、受信側では受信側基地局５７を位置情報として選択する場合、つまり、実施形態と実施形態の変形例その１が組み合わされた場合について記載する。
【００７６】
図１０は、発信側携帯電話機５１５はＧＰＳによる発信がなされたが、受信側では受信側基地局５７を位置情報として選択する場合についての説明図である。
【００７７】
＜ステップ５０１〜ステップ７０２ａの処理＞
ステップ５０１〜ステップ７０２ａは前述の実施形態と同一の処理を行う。
【００７８】
＜ステップ７０３ｂ〜ステップ１０５ｂの処理＞
ステップ５０１〜ステップ１０５ｂは前述の実施形態の変形例その１と同一の処理を行う。
【００７９】
＜ステップ１０６ｃの処理＞
ステップ１０６ｃにおいて、携帯電話通信網内サーバ５３は、既に得ていた発信側携帯電話機５１５の位置情報と、受信側携帯電話機５１７の受信側基地局５７の識別情報からそれぞれの位置を検索し、発信側携帯電話機５１５の位置と受信側基地局５７の位置との両者が入った地図画面を生成する。
この地図画面の生成方法の詳細については後述するが、携帯電話機５１１の表示部１４の画面範囲全体を使って表示するように生成する。
【００８０】
＜ステップ１０７ａ、５０５及び７０６の処理＞
ステップ１０７ａ、５０５及び７０６の処理は前述の実施形態と同じなので省略する。
【００８１】
［実施形態の変形例その３］
以上の実施形態、実施形態の変形例その１及び実施形態の変形例その２では、地図画面を生成していたのは携帯電話通信網内サーバ５３であったが、発信側携帯電話機５１５で最初に受信側携帯電話機５１７に表示される地図情報を生成し、さらに、その地図画面を受けた受信側携帯電話機５１７が発信側携帯電話機５１５と受信側携帯電話機５１７の両者が入った地図画面を生成して発信側携帯電話機５１５に通知することも考えられる。
この時には、地図画面自体が通知許可情報を兼ねていてもよい。
【００８２】
この方法であると、携帯電話通信網内サーバ５３の処理は軽減されるが、発信側携帯電話機５１５及び受信側携帯電話機５１７に地図のデータベースを備える必要が生ずる。
【００８３】
また、ステップ５０４において、発信側携帯電話機５１５が発信側携帯電話機５１５のみが記載された地図画面を生成して、受信側携帯電話機５１７に通知する時には、地図画面自体が通知許可情報を兼ねていてもよい。
【００８４】
[実施形態の変形例その４]
実施形態及び実施形態の変形例１〜３では、携帯電話機５１１間での通信を説明したが、その方法はパソコン３１１間でも適用できる。
図１１は、パソコン３１１間で通信する場合の変形例を表したものである。
【００８５】
[実施形態の変形例その５]
実施形態及び実施形態の変形例１〜３では、携帯電話機５１１間での通信を説明したが、その方法は有線電話機７１１間でも適用できる。
図１２は、有線電話機７１１間で通信する場合の変形例を表したものである。
【００８６】
[実施形態の変形例その６]
以上で説明した通信方法は、異なる通信機器間でも用いることができる。つまり、携帯電話機５１１とパソコン３１１、携帯電話機５１１と有線電話機７１１、パソコン３１１と有線電話機７１１との間でも用いることができる。
その中で、携帯電話機５１１とパソコン３１１間での通信について説明する。
【００８７】
図１３は、携帯電話機５１１とパソコン３１１との通信を説明する説明図である。
【００８８】
図１４は、携帯電話機５１１とパソコン３１１との通信を説明する説明図である。
以下、この図面について説明する。
【００８９】
＜ステップ５０１〜ステップ１０２ａの処理＞
この処理は図８に記載された実施形態と同一なので説明を省略する。
【００９０】
＜ステップ１０３ｂの処理＞
ステップ１０３ｂにおいて、携帯電話通信網内サーバ５３はそのネットワーク１内のルータ３１と通信して、受信側パソコン３１７が通信可能な受信側ルータ３７を検索し、特定する。
【００９１】
＜ステップ１０４ｂの処理＞
ステップ１０４ｂにおいて、ステップ１０３によって特定された受信側ルータ３７が、
受信側パソコン３１７に通信開始要求信号以外に位置情報要求信号をも発信する。さらに、位置情報要求信号に加えてステップ１０２ａにおいて生成された地図画面をも付加して発信する。
【００９２】
＜ステップ７０１及びステップ７０２ａの処理＞
この処理は図８に記載された実施形態と同一なので説明を省略する。
【００９３】
＜ステップ７０３ｃの処理＞
ステップ７０３ｃにおいて、受信側パソコン３１７のユーザである受信者は受信側パソコン３１７の受信側基地局５７の位置を発信者に通知するかを選択する。
また、位置情報を通知するのを標準状態としておき、特別な操作がないときには位置情報を通知することとしてもよいし、逆に、位置情報を通知しないことを標準状態としておき、特別な操作がないときには位置情報を通知しないこととしてもよい。
なお、パソコン３１１にＧＰＳが付属していることはまれであるが、付属している場合には、ＧＰＳを利用することもできる。
【００９４】
＜ステップ７０５ｃ＞
ステップ７０５ｃにおいて、受信側パソコン３１７は、受信側パソコン３１７の位置情報として受信側ルータ３７の位置を使用して通知することを許可する通知許可情報を、受信側ルータ３７に発信する。
【００９５】
＜ステップ１０５ｃ＞
ステップ１０５ｃにおいて、受信側ルータ３７はステップ７０５ｃにおいて受信側パソコン３１７により発信された、通知許可情報を受信する。そして、その通知許可情報は前述したステップ１０２ｂの携帯電話通信網内サーバ５３又はインターネット通信網内サーバ３３に伝達される。
【００９６】
＜ステップ１０６ｄの処理＞
ステップ１０６ｄにおいて、携帯電話通信網内サーバ５３又はインターネット通信網内サーバ３３は、既に得ていた発信側携帯電話機５１５の位置情報と、受信側パソコン３１７の受信側ルータ３７の識別情報からそれぞれの位置を検索し、発信側携帯電話機５１５の位置と受信側ルータ３７の位置との両者が入った地図画面を生成する。
この地図画面の生成方法の詳細については後述するが、携帯電話機５１１の表示部１４及びパソコン３１１の画面の画面範囲全体を使って表示するように生成する。
【００９７】
＜ステップ１０７ｂの処理＞
ステップ１０７ｂにおいて、発信側基地局５５及び受信側ルータ３７が、ステップ１０６ｄにおいて生成された地図画面をそれぞれ、発信側携帯電話機５１５及び受信側パソコン３１７に発信する。
【００９８】
＜ステップ５０５及びステップ７０６の処理＞
ステップ５０５及びステップ７０６の処理は図８の実施形態と同じなので省略する。
【００９９】
［実施形態の変形例その７］
携帯電話機５１１と有線電話機７１１間での通信について説明する。なお、ここでは有線電話機７１１というのはＩＰ電話等ではなく、かつ、表示部１４を持たない音声のみによって通話を行う有線電話機７１１を想定している。
【０１００】
図１５は、携帯電話機５１１と有線電話機７１１との通信を説明する説明図である。
【０１０１】
図１６は、携帯電話機５１１と有線電話機７１１との通信を説明する説明図である。
以下、この図面について説明する。
【０１０２】
＜ステップ５０１〜ステップ１０１の処理＞
この処理は図８に記載された実施形態と同一なので説明を省略する。
【０１０３】
＜ステップ１０２ｃの処理＞
ステップ１０２ｃにおいて、携帯電話通信網内サーバ５３が発信側携帯電話機５１５の位置情報から、発信側携帯電話機５１５のいる位置を表す音声を生成する。
【０１０４】
＜ステップ１０３ｃの処理＞
ステップ１０３ｃにおいて、携帯電話通信網内サーバ５３はそのネットワーク１内の交換機７１と通信して、受信側有線電話機７１７が通信可能な受信側交換機７７を検索し、特定する。
【０１０５】
＜ステップ１０４ｃの処理＞
ステップ１０４ｃにおいて、ステップ１０３によって特定された受信側交換機７７が、
受信側有線電話機７１７に通信開始要求信号以外に位置情報要求信号をも発信する。さらに、位置情報要求信号に加えてステップ１０２ｃにおいて生成された音声をも付加して発信する。
【０１０６】
＜ステップ７０１の処理＞
この処理は図８に記載された実施形態と同一なので説明を省略する。
【０１０７】
＜ステップ７０２ｂの処理＞
ステップ７０２ａにおいて、受信側有線電話機７１７は音声入出力部１３を用いて、ステップ１０２ｃで生成された音声を再生する。
【０１０８】
＜ステップ７０３ｄの処理＞
ステップ７０３ｄにおいて、受信側有線電話機７１７のユーザである受信者は受信側有線電話機７１７の受信側交換機７７の位置を発信者に通知するかを選択する。
また、位置情報を通知するのを標準状態としておき、特別な操作がないときには位置情報を通知することとしてもよいし、逆に、位置情報を通知しないことを標準状態としておき、特別な操作がないときには位置情報を通知しないこととしてもよい。
【０１０９】
＜ステップ７０５ｄの処理＞
ステップ７０５ｄにおいて、受信側有線電話機７１７は、受信側有線電話機７１７の位置情報として受信側交換機７７の位置を使用して通知することを許可する通知許可情報を、受信側交換機７７に発信する。
【０１１０】
＜ステップ１０５ｄの処理＞
ステップ１０５ｄにおいて、受信側交換機７７はステップ７０５ｄにおいて受信側有線電話機７１７により発信された、通知許可情報を受信する。そして、その通知許可情報は前述したステップ１０２ｃの携帯電話通信網内サーバ５３に伝達される。
【０１１１】
＜ステップ１０６ｅの処理＞
ステップ１０６ｅにおいて、携帯電話通信網内サーバ５３は、既に得ていた発信側携帯電話機５１５の位置情報と、受信側有線電話機７１７の受信側交換機７７の識別情報からそれぞれの位置を検索し、発信側携帯電話機５１５の位置と受信側交換機７７の位置との両者が入った地図画面を生成する。
この地図画面の生成方法の詳細については後述するが、携帯電話機５１１の表示部１４の画面範囲全体を使って表示するように生成する。
【０１１２】
＜ステップ１０７ｃの処理＞
ステップ１０７ｃにおいて、発信側基地局５５及び受信側交換機７７が、ステップ１０６ｅにおいて生成された地図画面をそれぞれ、発信側携帯電話機５１５及び受信側有線電話機７１７に発信する。
【０１１３】
＜ステップ５０５及びステップ７０６の処理＞
ステップ５０５及びステップ７０６の処理は図８の実施形態と同じなので省略する。なお、ここでは、受信側有線電話機７１７は画面による表示部１４のないものを想定しているので、ステップ７０６は省略される。もっとも、表示部１４があるのであれば７０６を省略しないことができる。
【０１１４】
なお、以上の変形例その７では受信側の通信機器は受信側有線電話機７１７としたが、必ずしも、有線電話機７１１である必要はなく、受信側の機器は携帯電話機５１１であってもよい。
また、実施形態及び実施形態の変形例その１〜６までの方法に、上記変形例その７の構成を加えて、地図図面に加えて音による位置情報を通知することにしてもよい。
【０１１５】
［地図画面生成方法］
以上の実施形態及び実施形態の変形例１〜７の、ステップ１０６ａ〜ステップ１０６ｅの地図画面の生成について説明する。
図１７は、ステップ５０５において発信側携帯電話機５１５、ステップ７０６において受信側携帯電話機５１７又は受信側パソコン３１７に表示される地図画面の一例である。
図１７の（ａ）はアメリカ・ロサンゼルスから日本の東京に電話が発信されたときの地図画面である。
図１７の（ｂ）は日本の千葉県木更津市から神奈川県横浜市に電話が発信された場合の地図画面である。
【０１１６】
表示部１４には着信表示ウィンドウ１４１が表示される。そして、着信表示ウィンドウ１４１には、地図画面、着信表示、発信地名、着信地名が表示される。また、地図画面には発信地１４５と着信地１４３も表示され、発信地１４５と着信地１４３とを示す矢印表示などがされる。できるだけ地図画面が大きくなるように、画面の表示範囲を使用できるように着信地１４３と発信地１４５を端と反対側の端となるような地図画面を生成する。
【０１１７】
また、たとえば異なる国間での通信の時には、地球を表示してその距離感を体感的に感じることができるように、図１７（ａ）のように表示する。
逆に、数百メートルの近距離における通信であれば、細かい道路などが記載されている地図画面を表示する。これによって、通信の発信者又は受信者はその通信の相手を迎えに行くことや、細かい道案内ができる。
なお、地図画面は、通信の最初に生成されるだけではなく、通信の発信者及び受信者が操作部１２を操作することによって新たに更新することができる。もしくは、一定の時間ごとに更新させることもできる。
【０１１８】
図１８は、発信者が上空にいる場合の地図画面の表示方法の一例である。
この場合には、飛行機等の空を飛ぶ乗り物の絵を表示する等して、上空にいることを表現する。
このような方法によって、通信の発信者及び受信者は相手方の状況を知ることができ、通信の内容や時間などを考慮して通話することができる。
【０１１９】
［相手方から通知許可信号の発信がない場合］
以上の例では、通信受信者から位置情報に対して通知許可があって、通知許可情報が発信される場合について説明した。しかしながら、通知許可がなく地図画面は表示されなくても場合であっても、通信発信者及び通信発信者が通話及び通信を行いたいと考える場合はありうる。
つまり、通信受信者は位置に対する情報は公開したくないが通信及び通話は行いたい場合はありうる。また、通信の発信者にしても、位置情報はなくても通信は行いたい場合があり得る。そこで、地図画面を表示することなく通話が可能とするべきである。
【０１２０】
以上の実施形態によれば、自機の位置情報の第１の通知許可情報を発信する通信部１１を含む発信側携帯電話機５１５と、自機の位置情報の第２の通知許可情報を発信する通信部１１と、自機の位置にかかわる地図情報を表示可能な表示部１４と、を含む受信側携帯電話機５１７と、を有する。
そして、受信側携帯電話機５１７は、発信側携帯電話機５１５と受信側携帯電話機５１７の各々から前記第１の通知許可情報及び前記第２の通知許可情報の発信が確認された場合に、発信側携帯電話機５１５及び自機の位置に関する地図画面を表示部１４に表示する。
これによって、通信の発信者及び受信者は通信の発信者との距離や位置などを把握することができる上に、自身の位置情報を通知したくない場合には、その位置を知らせないことが可能となり、プライバシーが守られる。
【０１２１】
また、本発明の通信システムは、発信側携帯電話機５１５と受信側携帯電話機５１７の通信を伝達するネットワーク１を有し、ネットワーク１は、発信側携帯電話機５１５からの前記第１の通知許可情報及び受信側携帯電話機５１７からの第２の通知許可情報の発信を確認した場合に、発信側携帯電話機５１５の位置情報と受信側携帯電話機５１７の位置情報に関する前記地図図面を生成し、当該地図画面を発信側携帯電話機５１５及び前記受信側携帯電話機５１７のうち少なくとも受信側携帯電話機５１７に送信する、携帯電話通信網内サーバ５３を有する。
これによって、地図画面をサーバが生成するので携帯電話機５１１の制御部１７に負担がかからない。また、携帯電話機５１１が地図情報を各々有する必要はなくなり携帯電話機５１１の記憶容量が節約できる。
【０１２２】
また、受信側携帯電話機５１７は、発信側携帯電話機５１５からの前記第１の通知許可情報及び受信側携帯電話機５１７からの記第２の通知許可情報の発信を確認した場合に、発信側携帯電話機５１５の位置情報と自機の位置情報に関する前記地図図面を生成する制御部１７を有する。
これによって、サーバではなく携帯電話機５１１が地図情報を生成するのであるから、サーバに負担がかからない。
【０１２３】
また、発信側携帯電話機５１５は、自機の位置にかかわる地図情報を表示可能な表示部１４を有し、発信側携帯電話機５１５は、発信側携帯電話機５１５と受信側携帯電話機５１７の各々から発信側携帯電話機５１５及び受信側携帯電話機５１７の発信が確認された場合に、自機及び受信側携帯電話機５１７の位置に関する前記地図画面を表示部１４に表示する。
これによって、発信者にも受信者の位置が分かることから、発信者は相手の位置によって通話の内容、時間を変更できる。さらに、受信者を出迎えに行くことも可能となる。
【０１２４】
また、発信側携帯電話機５１５及び受信側携帯電話機５１７の少なくとも１つは、ＧＰＳによって位置を検出する位置測定部１０を有するので、正確な位置情報を得ることができ、特に近距離の場合には出迎え等に利用できる。
【０１２５】
また、本発明の通信機器は、基地局５１の位置情報から地図画面を生成する、携帯電話通信網内サーバ５３又は受信側携帯電話機５１７の制御部１７を有する。
これによって、基地局５１の位置という位置情報の概要しか伝えないので、プライバシーがある程度守られる。
【０１２６】
本発明の第１の観点の携帯電話機５１１は、自機の位置情報の通知許可情報を発信する通信部１１と、自機の位置にかかわる地図情報を表示可能な表示部１４と、通信相手の携帯電話機５１１と自機の各々から通知許可情報及の発信が確認された場合に、通信相手の携帯電話機５１１及び自機の位置に関する地図画面を表示部１４に表示する制御部１７と、を有する。
これによって、通信の発信者及び受信者は通信の発信者との距離や位置などを把握することができる上に、自身の位置情報を通知したくない場合には、その位置を知らせないことが可能となり、プライバシーが守られる。
【０１２７】
また、通信部１１は、通信相手の携帯電話機５１１からの通知許可情報及び自機からの通知許可情報の発信を確認した場合に、通信相手の携帯電話機５１１の位置情報と自機の位置情報に関する前記地図図面を生成及び当該地図画面を発信する携帯電話通信網内サーバ５３が発信した当該地図図面を受信し、前記表示部１４は、受信した当該地図図面を表示する。
これによって、地図画面を携帯電話通信網内サーバ５３が生成するので携帯電話機５１１の制御部１７に負担がかからない。また、携帯電話機５１１が地図情報を各々有する必要はなくなり携帯電話機５１１の記憶容量が節約できる。
【０１２８】
また、本発明の第１の観点の携帯電話機５１１は、通信相手の携帯電話機５１１からの通知許可情報及び自機からの通知許可情報の発信を確認した場合に、通信相手の携帯電話機５１１の位置情報と自機の位置情報に関する前記地図図面を生成する制御部１７を有するので、サーバに負担がかからない。
【０１２９】
また、本発明の第１の観点の携帯電話機５１１は、ＧＰＳによって位置を検出する位置測定部１０を有する
【０１３０】
また、第１の観点の携帯電話機５１１は、基地局５１の位置情報から前記地図画面を生成する制御部１７を有するので、基地局５１の位置という位置情報の概要しか伝えず、プライバシーがある程度守られる。
【０１３１】
また、表示部１４が表示するのは、基地局５１の位置情報から携帯電話通信網内サーバ５３が生成した前記地図画面である。
これによって、基地局５１の位置という位置情報の概要しか伝えず、プライバシーがある程度守られる上に、携帯電話通信網内サーバ５３が地図画面を生成するので、携帯電話機５１１に処理負担がかからない。また、地図情報のデータベース等を携帯電話機５１１が有する必要がないので、大容量の記憶装置を有していなくてもよい。
【０１３２】
本発明の第２の観点の通信システムは、自機の位置情報の第１の通知許可情報を発信する通信部１１を含む発信側携帯電話機５１５と、自機の位置情報の第２の通知許可情報を発信する通信部１１と、自機の位置にかかわる位置情報を音声によって出力可能な音声入出力部１３と、を含む受信側携帯電話機５１７と、を有している。
そして、受信側携帯電話機５１７は、発信側携帯電話機５１５と受信側携帯電話機５１７の各々から前記第１の通知許可情報及び前記第２の通知許可情報の発信が確認された場合に、少なくとも発信側携帯電話機５１５の位置に関する位置情報を音声入出力部１３が音声によって出力する。
これによって、自身の位置情報を通知したくない場合には、その位置を知らせないことが可能となり、プライバシーが守られる。
また、表示部１４がない通信機器であっても相手の位置を知ることができる。表示部１４がある通信機器であっても音のみによって相手の位置を知ることもできるのであるから、単に視覚のみによる通信機器よりも有利である。
【０１３３】
本発明の第２の観点の携帯電話機５１１は、自機の位置情報の通知許可情報を発信する通信部１１と、自機の位置にかかわる地図情報を音声によって出力可能な音声入出力部１３と、を有する。
そして、通信相手の携帯電話機５１１と自機の各々から通知許可情報及の発信が確認された場合に、通信相手の携帯電話機５１１及び自機の位置に関する位置情報を音声入出力部１３が音声によって出力する。
これによって、自身の位置情報を通知したくない場合には、その位置を知らせないことが可能となり、プライバシーが守られる。
また、表示部１４がない通信機器であっても相手の位置を知ることができる。表示部１４がある通信機器であっても音のみによって相手の位置を知ることもできるのであるから、単に視覚のみによる通信機器よりも有利である。
【０１３４】
第３の観点の通信システムは、発信側携帯電話機５１５が受信側携帯電話機５１７へ発信した際に、受信側携帯電話機５１７が通知許可情報を発信側携帯電話機５１５へ返信しなかった場合、発信側携帯電話機５１５と受信側携帯電話機５１７は、受信側携帯電話機５１７の位置に関する地図画面を表示することなく通信及び通話が可能である。
これによって、通信受信者は自身の位置を通知せずに通話することができるので、プライバシーを維持しつつ、通話及び通信を行うことができる。
【０１３５】
本発明の第３の観点の携帯電話機５１１は、通信を受信又は発信した際に、通信相手の携帯電話機５１１から通知許可情報及の発信が確認されなかった場合、通信相手の位置に関する地図画面を表示することなく通信及び通話が可能である。
これによって、通信受信者は自身の位置を通知せずに通話することができるので、プライバシーを維持しつつ、通話及び通信を行うことができる。
【０１３６】
なお、以上の実施形態において、携帯電話機５１１、パソコン３１１及び有線電話機７１１は通信機器の一例である。
発信側携帯電話機５１５、発信側パソコン３１５及び発信側有線電話機７１５は第１の通信機器の一例であり、また、受信側携帯電話機５１７、受信側パソコン３１７及び受信側有線電話機７１７は第２の通信機器の一例である。
携帯電話通信網内サーバ５３及びインターネット通信網内サーバ３３は位置情報管理装置の一例である。
インターネット通信網３、有線電話通信網７及び携帯電話通信網５はネットワーク１の一例であり、それら全体をネットワーク１としている。
ルータ３１、基地局５１及び交換機７１はネットワーク内端末の一例である。つまり、通常端末とは、携帯電話機５１１、有線電話機及びパソコン等のネットワーク１の最後にあるものをいうが、ここでは、それらの１つ前のネットワーク端末をいう。つまり、ネットワーク１内の機器のうち特にユーザが使用する通信機器と直接通信を行っている機器のみを特にいうものと定義する。
【０１３７】
本発明は、以上の実施形態に限定されず、種々の態様で実施されてよい。
【０１３８】
通信機器は、携帯電話機５１１に限定されない。例えば、通信機器は、つまり、通信機器には、携帯電話機５１１、ＰＤＡ、ＰＨＳ、ディスクトップ型パソコン、ノート型パソコン３１１、ＩＰ電話等、有線電話機７１１が含まれる。
【図面の簡単な説明】
【０１３９】
【図１】通信を伝達するネットワークを説明する説明図である。
【図２】インターネット通信網を説明する説明図である。
【図３】有線電話通信網を説明する説明図である。
【図４】携帯電話通信網を説明する説明図である。
【図５】携帯電話機間で通信の発信と受信があった時の説明図である。
【図６】携帯電話機の外観図である。
【図７】図６の携帯電話機の信号処理系を示すブロック図である。
【図８】発信側携帯電話機がネットワーク１を介して受信側携帯電話機に通信を発信した場合の処理を説明する説明図である。
【図９】実施形態の変形例を説明する説明図である。
【図１０】発信側携帯電話機はＧＰＳによる発信がなされたが、受信側では受信側基地局５７を位置情報として選択する場合についての説明図である。
【図１１】パソコン間で通信する場合の変形例を表したものである。
【図１２】有線電話機間で通信する場合の変形例を表したものである。
【図１３】携帯電話機とパソコンとの通信を説明する説明図である。
【図１４】携帯電話機とパソコンとの通信を説明する説明図である。
【図１５】携帯電話機と有線電話機との通信を説明する説明図である。
【図１６】携帯電話機と有線電話機との通信を説明する説明図である。
【図１７】ステップ５０５において発信側携帯電話機、ステップ７０６において受信側携帯電話機又は受信側パソコンに表示される地図画面の一例である。
【図１８】発信者が上空にいる場合の地図画面の表示方法の一例である。
【符号の説明】
【０１４０】
１…ネットワーク、３…インターネット通信網、５…携帯電話通信網、７…有線電話通信網、９…ゲートウエイ、１０…位置測定部、１１…通信部、１２…操作部、１３…音声入出力部、１４…表示部、１６…記憶部、１７…制御部、１８…システムバス、３１…ルータ、３３…インターネット通信網内サーバ、３５…発信側ルータ、３７…受信側ルータ、５１…基地局、５３…携帯電話通信網内サーバ、５５…発信側基地局、５７…受信側基地局、７１…交換機、７５…発信側交換機、７７…受信側交換機、１４１…着信表示ウィンドウ、１４３…着信位置、１４５…発信位置、３１１…パソコン、３１５…発信側パソコン、３１７…受信側パソコン、５０１…第１筐体、５０２…第２筐体、５０３…ヒンジ部、５１１…携帯電話機、５１５…発信側携帯電話機、５１７…受信側携帯電話機、７１１…有線電話機、７１５…発信側有線電話機、７１７…受信側有線電話機。
【図１】
2010154360.tif 000003
【図２】
2010154360.tif 000004
【図３】
2010154360.tif 000005
【図４】
2010154360.tif 000006
【図５】
2010154360.tif 000007
【図６】
2010154360.tif 000008
【図７】
2010154360.tif 000009
【図８】
2010154360.tif 000010
【図９】
2010154360.tif 000011
【図１０】
2010154360.tif 000012
【図１１】
2010154360.tif 000013
【図１２】
2010154360.tif 000014
【図１３】
2010154360.tif 000015
【図１４】
2010154360.tif 000016
【図１５】
2010154360.tif 000017
【図１６】
2010154360.tif 000018
【図１７】
2010154360.tif 000019
【図１８】
2010154360.tif 000020